(57)【要約】【課題】イメージセンサ１０１とフラットケーブル１２１が一緒に昇降するとき、ガイド部材１２２がフラットケーブル１２１に傷を付けないようにする。【解決手段】読取装置１５３は、流し読みガラス１２０と、コンタクトガラス１１０と、この両ガラスの間に配設されたステー１３０と、両ガラスの下から原稿を読み取るイメージセンサ１０１を備えている。また、イメージセンサを昇降可能に支持して、イメージセンサを両ガラスとステーの下を移動させる走行体１０２と、イメージセンサから導出したフラットケーブル１２１を案内するガイド部材１２２とを備えている。さらに、このガイド部材を有して走行体に設けられ、イメージセンサの昇降に伴って可動する支持部材１２３を備えている。そして、支持部材が、イメージセンサの昇降時に、イメージセンサと共に可動して、ガイド部材とフラットケーブルとを昇降させるようになっている。【選択図】図７
2008060863.tif 000002
【特許請求の範囲】
【請求項１】
上面を原稿が通過する第１ガラスと、
上面に原稿が載置される第２ガラスと、
前記第１ガラスと第２ガラスとの間に配設された介在部材と、
前記第１ガラス及び第２ガラスの下から前記原稿を読み取るイメージセンサと、
前記イメージセンサを昇降可能に支持して、前記イメージセンサを前記第１ガラス、介在部材、及び第２ガラスの下を移動させる移動体と、
前記イメージセンサから導出した信号ケーブルを案内する案内部材と、を備え、
前記イメージセンサが前記介在部材の下を通過するとき、前記イメージセンサが下降する読取装置において、
前記案内部材が固定されて前記移動体に設けられ、前記イメージセンサの昇降に伴って可動する可動部材を備え、
前記可動部材が、前記イメージセンサの昇降時に、前記イメージセンサと共に可動して、前記案内部材と前記信号ケーブルとを昇降させてなる、
ことを特徴とする読取装置。
【請求項２】
前記可動部材が、弾性板である、
ことを特徴とする請求項１に記載の読取装置。
【請求項３】
前記案内部材が、前記信号ケーブルを貫通させる筒状の部材である、
ことを特徴とする請求項１に記載の読取装置。
【請求項４】
前記案内部材が、前記信号ケーブルを貫通させる筒状のフェライトコアを備えている、
ことを特徴とする請求項１又は３に記載の読取装置。
【請求項５】
前記案内部材が、前記信号ケーブルを支持する支持板である、
ことを特徴とする請求項１に記載の読取装置。
【請求項６】
原稿を読み取る読取装置と、
前記読取装置の画像読取情報に基づいてシートに画像を形成する画像形成部と、を備え、
前記読取装置が、請求項１乃至５のいずれか１項に記載の読取装置である、
ことを特徴とする画像形成装置。
【発明の詳細な説明】
【技術分野】
【０００１】
本発明は、イメージセンサを用いて原稿を読み取る読取装置と、この読取装置を装置本体に備えた画像形成装置とに関する。
【背景技術】
【０００２】
従来、読取装置は、イメージセンサを用いて原稿の画像情報を読み取るようになっており、例えば、画像形成装置の装置本体に設けられるようになっている。読取装置を備えた画像形成装置は、読取装置の画像情報に基づいて、シートに原稿を複写するようになっている。
【０００３】
図１１は、従来の読取装置の要部概略正面図である。読取装置５３は、主に、次の各部品を備えている。上面を原稿が通過するコンタクトガラス１０。上面に原稿が載置される流し読みガラス２０。コンタクトガラス１０と流し読みガラス２０とを支持するステー３０。原稿を読み取るイメージセンサ１。ガラス１０，２０とイメージセンサ１との間隔を保つスペーサ１１。イメージセンサ１とスペーサ１１とを支持してイメージセンサ１をガラス１０，２０とステー３０との下を移動する走行体２。スペーサ１１がステー３０の下方を通過するとき、イメージセンサ１とスペーサ１１とをステー３０から遠ざけるころ１７及びガイド部材４０。
【０００４】
スペーサ１１は、イメージセンサ１に設けられている。スペーサ１１は、圧縮コイルばね１５に付勢されてコンタクトガラス１０及び流し読みガラス２０に接触してイメージセンサ１をコンタクトガラス１０及び流し読みガラス２０に対し隙間を生じさせている。スペーサ１１は、隙間を生じさせた状態で、コンタクトガラス１０及び流し読みガラス２０の下面を移動できるようになっている。ころ１７はイメージセンサ１に設けられている。ガイド部材４０は固定部材に設けられている。
【０００５】
読取装置５３は、イメージセンサ１を流し読みガラス２０の下に停止させて、流し読みガラス２０上を通過する原稿を読み取ることができるようになっている。この読み方を一般に流し読みと言われている。
【０００６】
また、読取装置５３は、イメージセンサ１をコンタクトガラス１０の下に移動させて、ユーザによってコンタクトガラス１０に置かれた原稿を読み取ることができるようになっている。この読み方を一般に固定読みと言われている。
【０００７】
従来の読取装置５３は、原稿を固定読みするとき、イメージセンサ１の焦点距離に合わせて、イメージセンサ１をコンタクトガラス１０に対して距離を一定に保って移動するようになっていなければ読取精度が低下する。このため、読取装置５３は、イメージセンサ１を有するスペーサ１１を圧縮コイルばね１５によってコンタクトガラス１０に押し付けて、コンタクトガラス１０が多少捻じれてもイメージセンサ１とコンタクトガラス１０との距離を一定に保てるようにしている。また、スペーサ１１が、コンタクトガラス１０及び流し読みガラス２０とイメージセンサ１との間に隙間を生じさせている。
【０００８】
読取装置５３は、流し読み状態から固定読み状態に切り替えるとき、イメージセンサ１を流し読みガラス２０の下からコンタクトガラス１０の下に移動させる必要がある。この場合、スペーサ１１がステー３０の下を通過するとき、イメージセンサ１がステー３０に干渉しないようにする必要がある。このため、読取装置５３は、スペーサ１１に設けたころ１７がガイド部材４０に乗り上がって通過することによって、イメージセンサ１をステー３０から一旦遠ざけている（下降上昇させている）。
【０００９】
そして、図１２に示すように、イメージセンサ１に取り付けられている信号ケーブルとしてのフラットケーブル１３も、イメージセンサ１と一緒に下降上昇するようになっている。フラットケーブル１３は、走行体２に取り付けられている案内部材としてのガイド部材１４に支持されている（特許文献１参照）。
【００１０】
【特許文献１】特開２００３−８７５１９号公報
【発明の開示】
【発明が解決しようとする課題】
【００１１】
このように、従来の読取装置のフラットケーブル１３は、イメージセンサ１がステー３０の下を下降して通過するとき、イメージセンサ１と一緒に下降上昇するようになっている。しかし、ガイド部材１４は、直線往復移動する走行体２に設けられて、下降上昇するようになっていない。このため、フラットケーブル１３は、ガイド部材１４を擦って、傷が付くことがあった。
【００１２】
また、フラットケーブル１３に傷が付く読取装置を備えた画像形成装置は、読取装置から読取信号が確実に送られてくることがなく、読取装置によって読み取った画像をシートに確実に複写することができない虞があった。
【００１３】
本発明は、イメージセンサと信号ケーブルが一緒に昇降するとき、案内部材が信号ケーブルに傷を付けないようにした読取装置を提供することにある。
【００１４】
本発明は、信号ケーブルに傷を付けないようにして読み取り信号を確実に送り出す読取装置を備えて、読取装置が読み取った画像をシートに確実に複写する画像形成装置を提供することにある。
【課題を解決するための手段】
【００１５】
本発明の読取装置は、上面を原稿が通過する第１ガラスと、上面に原稿が載置される第２ガラスと、前記第１ガラスと第２ガラスとの間に配設された介在部材と、前記第１ガラス及び第２ガラスの下から前記原稿を読み取るイメージセンサと、前記イメージセンサを昇降可能に支持して、前記イメージセンサを前記第１ガラス、介在部材、及び第２ガラスの下を移動させる移動体と、前記イメージセンサから導出した信号ケーブルを案内する案内部材と、を備え、前記イメージセンサが前記介在部材の下を通過するとき、前記イメージセンサが下降する読取装置において、前記案内部材が固定されて前記移動体に設けられ、前記イメージセンサの昇降に伴って可動する可動部材を備え、前記可動部材が、前記イメージセンサの昇降時に、前記イメージセンサと共に可動して、前記案内部材と前記信号ケーブルとを昇降させてなる、ことを特徴としている。
【００１６】
本発明の画像形成装置は、原稿を読み取る読取装置と、前記読取装置の画像読取情報に基づいてシートに画像を形成する画像形成部と、を備え、前記読取装置が、上記の読取装置である、ことを特徴としている。
【発明の効果】
【００１７】
本発明の読取装置は、イメージセンサの昇降時に、可動部材が、イメージセンサと共に可動して、案内部材と信号ケーブルとを昇降させるようになっているので、イメージセンサの昇降に伴って、信号ケーブルが案内部材に対して擦れることがない。
【００１８】
よって、本発明の読取装置は、信号ケーブルに傷が付くようなことがない。また、読取信号を例えば画像形成装置に確実に送ることができる。
【００１９】
本発明の画像形成装置は、信号ケーブルに傷を付けないようにして読み取り信号を確実に送り出す読取装置を備えているので、読取装置が読み取った画像をシートに確実に複写することができる。
【発明を実施するための最良の形態】
【００２０】
以下、本発明の実施形態の読取装置と、この読取装置を備えた画像形成装置とを図に基づいて説明する。
【００２１】
（複写機）
図１は、本発明の実施形態の画像形成装置である例えば複写機の概略正面断面図である。画像形成装置には、複写機、プリンタ、ファクシミリ、及びこれらの機能を備えた複合機等がある。本発明の画像形成装置は、複写機に限定されるものではない。
【００２２】
画像形成装置である例えば複写機１５１は、プリンタ部である装置本体１５２と、この装置本体１５２上に装備された読取装置１５３と、読取装置１５３に原稿を自動的に供給する原稿自動供給装置１５５とを備えている。
【００２３】
装置本体１５２の内部を説明する。読取装置１５３で読み取られた原稿の画像情報は、コンタクトローラ１６１を介してレーザビームスキャナ１６２によって、画像形成部である例えば感光体ドラム１６３上に静電潜像として形成される。感光体ドラム１６３の表面は、静電潜像が形成される前、一次帯電器１６４によって、一様に帯電されている。感光体ドラム１６３の静電潜像は、現像器１６５によって、現像剤であるトナーによって現像されて、トナー画像となる。
【００２４】
一方、シート供給ローラ１６６は、シート供給カセット１６７の中の中板１７５に積載してあるシートＰを、シート供給カセット１６７から送り出す。搬送ローラ対１６８は、シートをレジストローラ対１６９に送り込む。レジストローラ対１６９は、回転を停止している状態でシートを受け止めて、シートに撓みを形成させて、シートの斜行を真っ直ぐに直す。
【００２５】
レジストローラ対１６９は、斜行取りしたシートの先端を感光体ドラム１６３上のトナー画像に合わせて、シートを感光体ドラム１６３に送り込む。転写器１７０は、トナー画像をシートに転写する。その後、搬送ベルト１７１は、シートを定着器１７２に送り込む。定着器１７２は、シートを加熱加圧して、シートにトナー画像を定着して、排出トレイ１７３に排出する。感光体ドラム１６３に残ったトナーは、クリーナ１７４によって除去される。
【００２６】
（読取装置）
図２は、本発明の実施形態における読取装置の概略斜視図である。
【００２７】
読取装置１５３は、イメージセンサ１０１で原稿を読み取るようになっている。読取装置１５３は、読み取った情報をプリンタ部である装置本体１５２（図１）に送る他に、パソコン、ファクシミリ等の外部機器にも送信できるようになっている。
【００２８】
読取装置１５３は、主に、次の各部品を備えている。密着型イメージセンサ１０１。このイメージセンサ１０１を支持する移動体である例えば走行体１０２。密着型イメージセンサ１０１と読取基板（不図示）を電気的に結合する信号ケーブルである例えばフラットケーブル１２１。走行体１０２を案内するガイドシャフト１０３。駆動モータ１０４。同軸プーリ１０５。プーリ１０６。駆動モータ１０４の回転軸（不図示）と同軸プーリ１０５とに掛け渡したタイミングベルト１０７。同軸プーリ１０５とプーリ１０６とに掛け渡したタイミングベルト１０８。読取装置１５３の装置本体１５４に設けられて、走行体１０２がホームポジションに居るか否かを検知するホームポジションセンサ１０９。ユーザによって原稿が載置される第２ガラスである例えばコンタクトガラス１１０。原稿自動供給装置１５５から原稿が送り込まれてくる第１ガラスである例えば流し読みガラス１２０。コンタクトガラス１１０と流し読みガラス１２０とを装置本体１５４に支持する介在部材である例えばステー１３０。
【００２９】
ガイドシャフト１０３は、イメージセンサ１０１の長手方向に対して直角方向に伸びて、イメージセンサ１０１を装着した走行体１０２を往復移動案内できるように装置本体１５４に設置されている。タイミングベルト１０８は、ガイドシャフト１０３に略平行に架設されて、一部が走行体１０２に係合している。駆動モータ１０４の回転は、タイミングベルト１０７、同軸プーリ１０５を介してタイミングベルト１０８に伝達されるようになっている。
【００３０】
したがって、駆動モータ１０４によって、タイミングベルト１０８が循環すると、タイミングベルト１０８に連動して走行体１０２が移動し、イメージセンサ１０１がコンタクトガラス１１０、流し読みガラス１２０の下側を移動する。イメージセンサ１０１の移動方向は、駆動モータ１０４の正逆回転により変えることができる。
【００３１】
図３は、イメージセンサ１０１を走行体１０２に支持する機構の分解斜視図である。図４は図３の部分拡大図である。図５は、イメージセンサ１０１が流し読みガラス１２０の下にいるときの図である。図６は、図５において、フラットケーブル１２１が見えるように一部を破断した図である。図７は、イメージセンサ１０１がガイド部材１４０の下を通過しているとき、イメージセンサ１０１でフラットケーブル１２１をガイドしている案内部材である例えばガイド部材１２２を押し下げている図である。図８は、イメージセンサ１０１がコンタクトガラス１１０の下を移動して、原稿を固定読みしているときの状態図であり、フラットケーブル１２１が見えるように、一部を破断した図である。
【００３２】
スペーサ１１１（図３）は、イメージセンサ１０１の長手方向両端部の上部に設けられている。延出部１１２はイメージセンサ１０１の長手方向両端部から長手方向に沿って延出しており、長孔１１３が形成されている。長孔１１３は、イメージセンサ１０１の長手方向に沿った長い孔である。圧縮コイルばね１１５は、走行体１０２に設けられた軸突起１１６に嵌挿されている。
【００３３】
軸突起１１６に、圧縮コイルばね１１５と、長孔１１３とを嵌挿させることで、イメージセンサ１０１が走行体１０２に装着される。さらに、走行体１０２を装置本体１５４に装着すると、図５、図８に示すようにイメージセンサ１０１が圧縮コイルばね１１５に押されて、スペーサ１１１が流し読みガラス１２０の下面１２０ａ又はコンタクトガラス１１０の下面１１０ａ（図８）に当接する。スペーサ１１１は、接触部１１９（図３）で、流し読みガラス１２０又はコンタクトガラス１１０に当接する。接触部１１９は、スペーサ１１１の上部に突設されている。接触部１１９は、スペーサ移動方向の中間部分に、スペーサ１１１の移動方向に沿った長さを有している。
【００３４】
スペーサ１１１がガラス１２０，１１０に接触することによって、イメージセンサ１０１と流し読みガラス１２０又はコンタクトガラス１１０との間には一定の隙間（不図示）が形成される。
【００３５】
この隙間は、スペーサ１１１を圧縮コイルばね１１５によってコンタクトガラス１１０に押し付けて、コンタクトガラス１１０が多少捻じれてもイメージセンサ１０１とコンタクトガラス１１０との距離を一定に保つために形成されている。この隙間によって、イメージセンサ１０１の焦点距離に合わせて、イメージセンサ１０１をコンタクトガラス１１０に対する距離を一定に保つことができて、読取精度の低下を防止することができる。
【００３６】
走行体１０２は、図８に矢印で示す読み取り方向に移動すると、スペーサ１１１がコンタクトガラス１１０の下面１１０ａを摺動して、イメージセンサ１０１とともに同じ方向へ移動するようになっている。
【００３７】
以上の構成の読取装置１５３は、イメージセンサ１０１を流し読みガラス１２０の下に停止させて、流し読みガラス１２０上を原稿自動供給装置１５５によって供給されて通過する原稿を読み取ることができるようになっている。この読み方を一般に流し読みと言われている。
【００３８】
また、読取装置１５３は、イメージセンサ１０１をコンタクトガラス１１０の下を移動させて、ユーザによってコンタクトガラス１１０に置かれた原稿を読み取ることができるようになっている。この読み方を一般に固定読みと言われている。
【００３９】
読取装置１５３は、流し読み状態から固定読み状態に切り替えるとき、イメージセンサ１０１を流し読みガラス１２０の下からコンタクトガラス１１０の下に移動させる必要がある。このとき、イメージセンサ１０１とスペーサ１１１は、ステー１３０に干渉しないでステー１３０の下を通過する必要がある。このため、ころ１１７がガイド部材１４０に乗り上がって通過することによって、イメージセンサ１０１とスペーサ１１１が、ステー１３０から、一旦、遠ざかる（下降上昇する）ようになっている。ころ１１７はイメージセンサ１０１に設けられている。イメージセンサ１０１とスペーサ１１１が、下降したとき、イメージセンサ１０１に接続されているフラットケーブル１２１も下降する。ガイド部材１４０は装置本体１５４に設けられている。
【００４０】
一方、走行体１０２は、ガイドシャフト１０３を案内にして下降上昇することなく真っ直ぐに移動するようになっており、イメージセンサ１０１とスペーサ１１１がステー１３０から、遠ざかって移動している間も、下降することなく移動するようになっている。
【００４１】
下降することなく移動する走行体１０２は、フラットケーブル１２１を支持する筒状のガイド部材１２２を有している。ガイド部材１２２は、フラットケーブル１２１を貫通させて支持している。この場合、ガイド部材１２２は、走行体１０２上で、フラットケーブ１２１と一緒に下降しなければならない。このため、ガイド部材１２２は、走行体１０２にねじ１２８で設けられた可動部材である例えば支持部材１２３の傾動端１２３ａに支持されて昇降するようになっている。ガイド部材１２２は、走行体１０２の支持片１０２ａに形成された上下方向に長いガイド孔１０２ｂを貫通している。
【００４２】
支持部材１２３は、弾性板であり、中間に撓み部１２３ｂと、イメージセンサ１０１に当接する当接部１２３ｃとを備え、当接部１２３ｃでイメージセンサ１０１に圧接されている。
【００４３】
したがって、ガイド部材１２２は、走行体１０２が流し読みガラス１２０の下からコンタクトガラス１１０の下へ移動する途中で、或は、逆方向に移動する途中で、イメージセンサとフラットケーブルとが下降上昇するのに伴って下降上昇するようになっている。
【００４４】
よって、本読取装置１５３は、イメージセンサ１０１とフラットケーブル１２１との下降上昇に伴ってガイド部材１２２が一緒に下降上昇するので、フラットケーブルとガイド部材との擦れを少なくして、フラットケーブル１２１の損傷を防止することができる。また、読取装置１５３は、画像読取精度の低下を防止することができる。
【００４５】
なお、図９に示すように、図８のガイド部材１２２の代わりに、案内部材である例えばフェライトコア支持部材１２４を使用してもよい。フェライトコア支持部材１２４は、フラットケーブル１２１を貫通させて放射ノイズを低減する筒状のフェライトコア１２５を支持している。
【００４６】
また、図１０に示すように、図８のガイド部材１２２の代わりに、上下１対のガイド板１２６，１２７を使用してもよい。上側のガイド板１２６は走行体１０２の支持片１０２ａに設けられている。案内部材である例えば下側のガイド板１２７は、支持部材１２３に設けられて、イメージセンサ１０１及びフラットケーブル１２１と一緒に昇降できるようになっている。なお、上下１対のガイド部材１２６，１２７を支持している走行体１０２の支持片１０２ａには、上下１対のガイド部材１２６，１２７の間にフラットケーブル１２１を脇から挿入できるように、脇に不図示の切り欠きが形成されている。この構成の場合、図８、図９に示す構成と異なって、フラットケーブルを筒状のガイド部材１２２、フェライトコア１２５を通す必要がなく、組み立てが容易である。なお、上側のガイド部材１２６は、必ずしも必要としない。
【図面の簡単な説明】
【００４７】
【図１】本発明の実施形態の画像形成装置である例えば複写機の概略正面断面図である。
【図２】本発明の実施形態における読取装置の概略斜視図である。
【図３】イメージセンサを走行体に支持する機構の分解斜視図である。
【図４】図３の部分拡大図である。
【図５】イメージセンサが流し読みガラスの下にいるときの図である。
【図６】図５において、フラットケーブルが見えるように一部を破断した図である。
【図７】イメージセンサがガイド部材の下を通過しているとき、イメージセンサでフラットケーブルをガイドしているガイド部材を押し下げている図である。
【図８】イメージセンサがコンタクトガラスの下を移動して、原稿を固定読みしているときの状態図であり、フラットケーブルが見えるように一部を破断した図である。
【図９】他の実施形態のガイド部材を示した図である。
【図１０】他の実施形態のガイド部材を示した図である。
【図１１】従来の読取装置の要部概略正面図である。
【図１２】従来の読取装置において、フラットケーブルが擦れている状態を示す図である。
【符号の説明】
【００４８】
１０１      イメージセンサ
１０２      走行体（移動体）
１１０      コンタクトガラス（第２ガラス）
１２０      流し読みガラス（第１ガラス）
１２１      フラットケーブル（信号ケーブル）
１２２      ガイド部材（案内部材）
１２３      支持部材（可動部材）
１２４      フェライトコア支持部材（案内部材）
１２５      フェライトコア
１２６      上側のガイド板
１２７      下側のガイド板（案内部材）
１３０      ステー（介在部材）
１５１      複写機（画像形成装置）
１５２      複写機（画像形成装置）の装置本体
１５３      読取装置
１６３      感光体ドラム（画像形成部）
【図１】
2008060863.tif 000003
【図２】
2008060863.tif 000004
【図３】
2008060863.tif 000005
【図４】
2008060863.tif 000006
【図５】
2008060863.tif 000007
【図６】
2008060863.tif 000008
【図７】
2008060863.tif 000009
【図８】
2008060863.tif 000010
【図９】
2008060863.tif 000011
【図１０】
2008060863.tif 000012
【図１１】
2008060863.tif 000013
【図１２】
2008060863.tif 000014